(57)【要約】【課題】天板の前部をわずかに持ち上げるだけで、テーブルを安定よく移動させることができるとともに、接床時の安定性もよく、しかも着座者の下肢空間を妨げることがなく、構造が簡単で安価に製造できるようにした、パソコン操作に適したテーブルを提供する。【解決手段】前後方向を向く左右１対の水平脚杆１と、各水平脚杆１の後端部上面に立設された左右１対の脚柱２と、両脚柱２の上端部に支持された天板５と、各水平脚杆１の後端に、車輪１４が脚柱２の後面の下方への延長面より後方に位置するようにして、かつ車輪１４の下端が水平脚杆１の下面とほぼ等高、または高さがわずかに異なるようにして設けられたキャスタ１１と、各水平脚杆１の前端部下面に設けられた接床部材１８とを備えるものとする。【選択図】  図１
2015085045.tif 000002
【特許請求の範囲】
【請求項１】
前後方向を向く左右１対の水平脚杆と、
各水平脚杆の後端部上面に立設された左右１対の脚柱と、
前記両脚柱の上端部に支持された天板と、
前記各水平脚杆の後端に、車輪が前記脚柱の後面の下方への延長面より後方に位置するようにして、かつ車輪の下端が、前記水平脚杆の下面とほぼ等高、または高さがわずかに異なるようにして設けられたキャスタと、
前記各水平脚杆の前端部下面に設けられた接床部材
とを備えることを特徴とするテーブル。
【請求項２】
各脚柱を前傾するようにして水平脚杆の後端部上面に立設し、この脚柱の後面の下方への延長面より後方に、キャスタの車輪が位置するようにした請求項１記載のテーブル。
【請求項３】
各水平脚杆の後端に、キャスタの一構成部材をなす後方を向く軸受片を突設し、この軸受片をもって、車輪の左右方向を向く軸を支持するようにした請求項１または２記載のテーブル。
【請求項４】
軸受片を、各水平脚杆の後端における左右方向の中央に突設することにより、各水平脚杆の後端の後方かつ軸受片の両側方に、左右幅を各車輪の左右幅とほぼ同一とした左右１対の車輪収容段部を形成し、この車輪収容段部に車輪を配設することにより、各車輪の外側面が、水平脚杆の側面と前後方向にほぼ整合するようにした請求項３記載のテーブル。
【請求項５】
各水平脚杆の後部から前部近傍にかけての両側面に、両側方と下方とに開口する凹入段部を設けることにより、各水平脚杆の前後方向の中間部の断面形状を、ほぼＴ字状とした請求項１〜４のいずれかに記載のテーブル。
【請求項６】
各水平脚杆の上面を、前方に向かって下向き傾斜する傾斜面とすることにより、各水平脚杆を前方に向かって薄肉とした請求項１〜５のいずれかに記載のテーブル。
【発明の詳細な説明】
【技術分野】
【０００１】
本発明は、容易に移動しうるようにしたテーブルに関する。
【背景技術】
【０００２】
この種の従来のテーブルとしては、前後の端部にキャスタをそれぞれ設けた前後方向を向く左右１対の水平脚杆に、左右１対の脚柱を立設し、両脚柱の上端部により天板を支持するようにしたものが一般的である(例えば特許文献１〜３参照)。
【０００３】
また、脚フレームにおける左右１対の脚部の後端部にキャスタをそれぞれ設け、左右１対の脚部の前端部同士を連結する連結杆が接床するようにしたものもある(例えば特許文献４参照)。
【先行技術文献】
【特許文献】
【０００４】
【特許文献１】特許第４８１８６９２号公報
【特許文献２】特許第４０５３８１５号公報
【特許文献３】特開２００３−００９９５６号公報
【特許文献４】特開２００５−１６０９１１
【発明の概要】
【発明が解決しようとする課題】
【０００５】
しかし、前後左右に４個のキャスタを設けたもの(特許文献１〜３)では、地震時の振動や他物との衝突等により、テーブルが不本意に移動することがあり、それを防止するため、キャスタにロック機構を設けなければならず、構造が複雑化するとともに、製造コストが高くつく等の問題がある。
【０００６】
キャスタを後部のみに設けたもの(特許文献１〜３)では、左右１対の脚部の前部や、それらを連結する連結杆が、着座者の下肢空間を妨げ、着座時やテーブル移動時の邪魔になるだけでなく、テーブルの前部を持ち上げて、移動する際の安定性が悪く、テーブルが後方に転倒するおそれがある。
【０００７】
本発明は、従来の技術が有する上記のような問題点に鑑み、天板の前部をわずかに持ち上げるだけで、テーブルを安定よく移動させることができるとともに、接床時の安定性もよく、しかも着座者の下肢空間を妨げることがなく、構造が簡単で安価に製造できるようにした、パソコン操作に適したテーブルを提供することを目的としている。
【課題を解決するための手段】
【０００８】
本発明によると、上記課題は、次のようにして解決される。
(１)  前後方向を向く左右１対の水平脚杆と、各水平脚杆の後端部上面に立設された左右１対の脚柱と、前記両脚柱の上端部に支持された天板と、前記各水平脚杆の後端に、車輪が前記脚柱の後面の下方への延長面より後方に位置するようにして、かつ車輪の下端が、前記水平脚杆の下面とほぼ等高、または高さがわずかに異なるようにして設けられたキャスタと、前記各水平脚杆の前端部下面に設けられた接床部材とを備えるものとする。
【０００９】
このような構成によると、天板の前部をわずかに持ち上げるだけで、キャスタの車輪を床面上に転動させて、テーブルを、転倒することなく、安定よく移動させることができる。
このとき、キャスタの車輪が、水平脚杆の後端および脚柱の後面の下方への延長面より後方に位置しているので、天板の前部を持ち上げても、テーブル全体の重心がキャスタの車輪より前方に移動するおそれが小さく、移動時の安定性を確保することができる。
接床部材を接床させると、接床部材と床面との摩擦により、テーブルは、地震時の振動や他物との衝突等によっても、妄りに移動することがなく、床面上に安定よく設置することができる。
しかも着座者の下肢空間を妨げることがない。
また、構造が簡単で、安価に製造することができる。
【００１０】
(２)  上記(１)項において、各脚柱を前傾するようにして水平脚杆の後端部上面に立設し、この脚柱の後面の下方への延長面より後方に、キャスタの車輪が位置するようにする。
【００１１】
このような構成によると、天板の前部を持ち上げた際のテーブルの安定性がさらに増す。
【００１２】
(３)  上記(１)または(２)項において、各水平脚杆の後端に、キャスタの一構成部材をなす後方を向く軸受片を突設し、この軸受片をもって、車輪の左右方向を向く軸を支持するようにする。
【００１３】
このような構成によると、キャスタの一構成部材をなす軸受片を水平脚杆と一体的に形成することができるので、部品点数を削減することができるとともに、構造を簡素化でき、安価に製造することができる。
【００１４】
(４)  上記(３)項において、軸受片を、各水平脚杆の後端における左右方向の中央に突設することにより、各水平脚杆の後端の後方で、かつ軸受片の両側方に、左右幅を各車輪の左右幅とほぼ等しくした左右１対の車輪収容段部を形成し、この車輪収容段部に車輪を配設することにより、各車輪の外側面が、水平脚杆の側面と前後方向にほぼ整合するようにする。
【００１５】
このような構成によると、各車輪の外側面が、水平脚杆の側面と前後方向にほぼ整合するので、車輪が水平脚杆より側方に突出することがなく、他物との衝突を防止しうるとともに、体裁をよくすることができる。
【００１６】
(５)上記(１)〜(４)項のいずれかにおいて、各水平脚杆の後部から前部近傍にかけての両側面に、両側方と下方とに開口する凹入段部を設けることにより、各水平脚杆の前後方向の中間部の断面形状を、ほぼＴ字状とする。
【００１７】
このような構成によると、水平脚杆の強度を保ちつつ、軽量化を図ることができるとともに、側方から見たときの重厚感を減じ、しかも、靴のつま先等が水平脚杆の側面に当接するのを防止することができる。
【００１８】
(６)上記(１)〜(５)項のいずれかにおいて、各水平脚杆の上面を、前方に向かって下向き傾斜する傾斜面とすることにより、各水平脚杆を前方に向かって薄肉とする。
【００１９】
このような構成によると、水平脚杆の前部の上向突出量を低減させて、着座者の足先等がこの部分に当接するのを防止しうるとともに、水平脚杆の外観を良好なものとすることができる。
【発明の効果】
【００２０】
本発明によると、天板の前部をわずかに持ち上げるだけで、テーブルを安定よく移動させることができるとともに、据え付け時の安定性もよく、しかも着座者の下肢空間を妨げることがなく、構造が簡単で安価に製造できるようにしたテーブルを提供することができる。
【図面の簡単な説明】
【００２１】
【図１】本発明のテーブルの第１の実施形態を斜め前方より見た斜視図である。
【図２】同じく、斜め後方より見た斜視図である。
【図３】同じく、側面図である。
【図４】同じく、平面図である。
【図５】同じく、底面図である。
【図６】図４のVI−VI線に沿う縦断側面図である。
【図７】図４のVII−VII線に沿う縦断正面図である。
【図８】図５のVIII−VIII線に沿う、水平脚部と脚柱の下部との拡大縦断側面図である。
【図９】本発明のテーブルの第２の実施形態の側面図である。
【図１０】本発明のテーブルの第２の実施形態におけるブラケットと補助天板との関係を示す分解斜視図である。
【発明を実施するための形態】
【００２２】
以下、本発明のテーブルの第１の実施形態を、図１〜図７に基づいて説明する。
図１〜図３に示すように、このテーブルは、前後方向を向く水平脚杆１の後端部(中間部とすることもある)より脚柱２が若干前傾するようにして立設された側面視ほぼＬ字状の左右１対の脚３、３の上部に、前下方を向く左右１対の天板支持ブラケット(以下、単にブラケットという)４、４の後端部を固着し、両ブラケット４、４をもって、前下方を向く天板５を支持したものよりなっている。
天板５は、図４および図５に示すように、後縁が後方に向かって緩やかな円弧状に突出し、前縁が後方に向かって緩やかな円弧状に凹入し、かつ四隅の角部が円弧状に面取りされた、ほぼ四角形をなしている。
【００２３】
各水平脚杆１の上面１ａを、前方に向かって下向き傾斜する傾斜面とすることにより、各水平脚杆１は、前方に向かって漸次薄肉とされており、それによって、水平脚杆１の前部の上向突出量を低減させ、着座者の足先等がこの部分に当接するのを防止しうるとともに、水平脚杆１の外観を良好なものとすることができる。
【００２４】
各脚柱２は、各水平脚杆１の上面１ａとほぼ直角をなすようにして、各水平脚杆１の後端部上面に立設されている。
【００２５】
図３に示すように、水平脚杆１の上面１ａの下向き傾斜角度α１と、脚柱２の前傾角度α２と、天板５の下向き傾斜角度α３とを、ほぼ同一か、または可及的に近似させることにより、水平脚杆１の上面１ａと脚柱２と天板５とが、側面視ほぼコ字状をなすようにしてある。
こうすることによって、水平脚杆１の上面１ａに対して脚柱２を直角に立設し、かつ脚柱２に対して、ブラケット４および天板５を直角に取付ければよいので、容易に製造することができる。
【００２６】
具体的には、図８に示すように、断面形状が前後方向に長い長円形筒体をなす脚柱２の下端よりやや上方の内面に、前後１対のねじ孔６、６を設けた取付板７を、脚柱２の中心軸線と直交する方向を向くようにして固着し、脚柱２におけるこの取付板７より下方の部分を、水平脚杆１の後端上部に上面１ａと直交するように上向き突設した段付き突部８の小寸部８ａに嵌合し、この段付き突部８内を貫通するように水平脚杆１に設けた前後１対のねじ挿通孔９、９に下方より挿通したボルト１０、１０の上部を取付板７のねじ孔６、６にそれぞれ螺合させて締め付けることにより、脚柱２は、水平脚杆１の後端部上面に、その上面１ａとほぼ直角をなすようにして、強固に固着されている。
【００２７】
段付き突部８の小寸部８ａの外形は、脚柱２の内面形状とほぼ補形をなし、その下方の段付き突部８の大寸部８ｂの外形は、脚柱２の外形とほぼ同一形状をなしている。
【００２８】
各水平脚杆１の後端には、キャスタ１１が設けられている。
キャスタ１１は、各水平脚杆１の後端における左右方向の中央に、側面視ほぼ半円弧状をなして後方に向かって突設された軸受片１２と、各水平脚杆１の後端の後方かつ軸受片１２の両側方に形成された左右１対の車輪収容段部１３、１３内に配設された左右１対の車輪１４、１４と、軸受片１２のほぼ中央を貫通して、両側部で両車輪１４、１４を枢支する軸１５とからなっている。
【００２９】
各車輪収容段部１３の左右幅は、キャスタ１１における各車輪１４の左右幅とほぼ同一としてあり、この車輪収容段部１３に車輪１４を配設することによって、各車輪１４の外側面が、水平脚杆１の側面と前後方向にほぼ整合し、水平脚杆１の側面から外側方に突出しないようにしてある。
【００３０】
また、各車輪１４は、前傾する脚柱２の後面の下方への延長面より後方に位置するようにして、また、車輪１４の下端が水平脚杆１の下面よりわずかに下方に突出するようにして、各車輪収容段部１３に配設されている。
【００３１】
なお、車輪１４の下端が水平脚杆１の下面とほぼ等高、またはわずかに上方に位置するようにして、各車輪１４を各車輪収容段部１３に配設することもある。
こうした場合は、水平脚杆１の下面が床面に接するので、テーブルの支持がより安定するとともに、天板２の前部を持ち上げたときは、水平脚杆１の下面が床面から離れ、テーブルを楽に移動させることができる。
【００３２】
各車輪収容段部１３における軸受片１２の側面と、各水平脚杆１の側面の後端との間に形成される段差面１３ａは、車輪１４の軸１５を中心とし、かつ車輪１４の外周面の半径よりわずかに大きい曲率半径の円弧面をなしている。
【００３３】
各水平脚杆１の後部から前部近傍にかけての両側面には、両側方と下方とに開口する前後方向に長い凹入段部１６、１６が設けられており、各水平脚杆１の前後方向の中間部の断面形状は、図７に示すように、ほぼＴ字状をなしている。
この凹入段部１６、１６の後端部は、図３に示すように、側面視において円弧状をなして下方に向かうとともに、図５に示すように底面視において円弧状をなして両外側方に向かい、なだらかな曲面形状を呈している。
【００３４】
各凹入段部１６の中間部の上縁は、各水平脚杆１の上面１ａと平行をなし、各凹入段部１６の前端部は、図３に示すように、側面視において円弧状をなして下方に向かい、各水平脚杆１の前端部下面に、円形のボス部１ｂが形成されるようにしてある。
【００３５】
ボス部１ｂの下面中央には、上方を向くねじ孔１７が設けられており、このねじ孔１７に、下端に円形の接床部材１８が設けられたアジャスタボルト１９が螺合されている。
この接床部材１８とアジャスタボルト１９とからなる高さ調節用のアジャスタ２０を回転させて、接床部材１８を各水平脚杆１の前端部下面から下方に進退させることにより、各水平脚杆１の前端部の高さを調節しうるようになっている。
【００３６】
各水平脚杆１の前端部の高さを調節することにより、水平脚杆１だけでなく、脚柱２および天板５を含むテーブル全体を、キャスタ１１における車輪１４の軸１５を中心として回動させることができ、天板５の下向き傾斜角度を微調節することができる。
【００３７】
アジャスタ２０に代えて、例えば、滑り止め用のパッド材からなる接床部材(図示略)のみを、各水平脚杆１の前端部下面に貼着するだけとしてもよい。
【００３８】
図２および図５〜図７に示すように、左右の脚柱２、２の上端部間には、断面形状が上下方向に長い長円形筒体をなす左右方向を向く横連結杆２１が架設されている。
【００３９】
各脚柱２の上部に後端部が固着されたブラケット４は、上辺が前方に向かって下向き傾斜し、かつ下辺がほぼ水平をなす側面視ほぼ三角形状をなし、一方のブラケット４には、平面視ほぼ半円弧状をなすほぼ水平の補助天板２２が、その直線状の内側端より起立する取付片２２ａを、ブラケット４の内側面に当接させて、前後１対のボルト・ナット２３、２３をもって固着することにより、ブラケット４の下方を通って、天板５の側端より外側方に突出するようにして取付けられている。
【００４０】
補助天板２２の上面のほぼ中央には、カップ受け用の円形の凹入段部２４が設けられている。この凹入段部２４の周縁部には、円弧状の複数の切欠き２５が設けられている。この切欠き２５を設けることにより、補助天板２２のプレス加工が容易になるとともに、塵芥等が凹入段部２４の隅部に溜まるのを防止することができる。
【００４１】
このテーブルは、上記のような構成としてあるので、天板５の前部をわずかに持ち上げるだけで、キャスタ１１の車輪１４を床面(図示略)上に転動させて、テーブルを、転倒することなく、安定よく移動させることができる。
このとき、キャスタ１１の車輪１４が、水平脚杆１の後端および脚柱２の後面の下方への延長面より後方に位置しているので、天板５の前部を持ち上げても、テーブル全体の重心がキャスタ１１の車輪１４より前方に移動するおそれが小さく、移動時の安定性を確保することができる。
【００４２】
接床部材１８を接床させると、接床部材１８と床面との摩擦により、テーブルは、地震時の振動や他物との衝突等によっても、不本意に移動することがなく、床面上に安定よく設置することができる。
しかも、着座者の下肢空間を妨げることがない。また、構造が簡単で安価に製造することができる。
【００４３】
さらに、補助天板２２を、天板５の下面に取付けるのではなく、天板５を支持するブラケット４に取付けるので、天板の傾斜角度に関係なく、補助天板を安定よく水平に支持することができ、しかも、構造が簡単である。また、天板が前下方に傾斜しているので、天板上に腕を載せやすく、長時間パソコン操作しても疲れにくく、したがって、パソコン操作等に好適である。
【００４４】
図９は、本発明のテーブルの第２の実施形態を示す。なお、第１の実施形態におけるのと同一または類似の部材には、同一の符号をもって図示するに止め、それらについての詳細な説明は省略する(第３の実施形態においても同様とする)。
第２の実施形態においては、ブラケット４および天板５を、ほぼ水平としてある。
【００４５】
補助天板２２は、天板５と平行をなすようにして、その取付片２２ａをブラケット４の外側面に当接し、前後１対のボルト・ナット２３、２３をもって固着することにより、天板５の側端より外側方に突出するようにしてブラケット４に取付けられている。
その他の構造は、第１の実施形態と同じである。
【００４６】
第２の実施形態のような構造としても、第１の実施形態の基本的な効果と同様の効果を奏することができる。
【００４７】
図１０は、本発明のテーブルの第３の実施形態におけるブラケットと補助天板との関係を示す。
第３の実施形態においては、ブラケット４を、第１の実施形態におけるのと同様の側面視ほぼ三角形をなす垂直の側片４ａの上端に、天板取付片４ｂが直角に折曲形成されたものとし、側片４ａには、天板取付片４ｂと平行をなす直線Ｌ１上に位置する前後１対の取付孔２５、２６と、後方の取付孔２６の下方に位置する取付孔２７とが設けられている。
取付孔２７は、前方の取付孔２５から直線Ｌ１に対して、図３に示す天板５の下向き傾斜角度α３と同一の後下向き傾斜角度α３をなす直線Ｌ２上に位置し、かつ取付孔２５から両取付孔２５、２６間の距離と等距離の位置に設けられている。
【００４８】
したがって、ブラケット４を、図９に示すように、上縁である天板取付片４ｂが水平となるようにして脚柱２に固着し、天板取付片４ｂをもって天板５を水平に支持したときは、補助天板２２を水平として、その取付片２２ａを側片４ａの外側面に当接し、ボルト・ナット２３におけるボルト２３ａを両取付孔２５、２６に挿通して、ナット２３ｂをボルト２３ａの先端部より螺合させて締め付けることにより、補助天板２２を天板５と平行の水平としてブラケット４に取付けることができるとともに、ブラケット４を、図３に示すように、上縁である天板取付片４ｂが前下向き傾斜するようにして脚柱２に固着し、天板取付片４ｂをもって天板５を前下向き傾斜状態で支持したときは、補助天板２２を水平として、その取付片２２ａを側片４ａの外側面に当接し、ボルト・ナット２３におけるボルト２３ａを取付孔２５、２７に挿通して、ナット２３ｂをボルト２３ａの先端部より螺合させて締め付けることにより、前下向き傾斜する天板５に対して、補助天板２２を水平としてブラケット４に取付けることができる。
【００４９】
すなわち、補助天板２２の内側端より起立する取付片２２ａを、ブラケット４に、前下向き傾斜する天板５に対して所要の角度をなす取付位置と、天板５と平行をなす取付位置とに取付位置調節可能として取付けてあるので、ブラケット４と補助天板２２とを、天板５を水平に支持するタイプと、天板５を前下向き傾斜させて支持するタイプとの両方に共通して使用することができる。
【００５０】
本発明は、上記実施形態のみに限定されるものではなく、特許請求の範囲を逸脱しない範囲内で、例えば次のような変形した態様での実施が可能である。
(１)  水平脚杆１の後端部を平面視において二股状に形成して、左右１対の軸受片(図示略)を形成し、その間に１個の車輪を配設する。
(２)  補助天板２２から凹入段部２４を省略する
(３)  補助天板２２の外周縁に、載置物の落下防止用の起立縁を設ける。
【符号の説明】
【００５１】
１  水平脚杆
１ａ上面
１ｂボス部
２  脚柱
３  脚
４  天板支持ブラケット
４ａ側片
４ｂ天板取付片
５  天板
６  ねじ孔
７  取付板
８  段付き突部
８ａ小寸部
８ｂ大寸部
９  ねじ挿通孔
１０  ボルト
１１  キャスタ
１２  軸受片
１３  車輪収容段部
１３ａ段差面
１４  車輪
１５  軸
１６  凹入段部
１７  ねじ孔
１８  接床部材
１９  アジャスタボルト
２０  アジャスタ
２１  横連結杆
２２  補助天板
２２ａ取付片
２３  ボルト・ナット
２３ａボルト
２３ｂナット
２４  凹入段部
２５  切欠き
２５、２６、２７  取付孔
α１、α２、α３  角度
Ｌ１、Ｌ２  直線
【図１】
2015085045.tif 000003
【図２】
2015085045.tif 000004
【図３】
2015085045.tif 000005
【図４】
2015085045.tif 000006
【図５】
2015085045.tif 000007
【図６】
2015085045.tif 000008
【図７】
2015085045.tif 000009
【図８】
2015085045.tif 000010
【図９】
2015085045.tif 000011
【図１０】
2015085045.tif 000012